(57)【特許請求の範囲】
【請求項１】
流入口（１ａ）に連通する止水栓室（１ｂ）、流出口（１ｃ）に連通する逆止弁室（１ｄ）、止水栓室（１ｂ）と逆止弁室（１ｄ）とを仕切る隔壁（１ｅ）、隔壁（１ｅ）に形成されて止水栓室（１ｂ）と逆止弁室（１ｄ）を連通させる通水口（１ｆ）をそれぞれ有する本体胴（１）と、止水栓室（１ｂ）に回転操作自在に収容され、流入口（１ａ）及び通水口（１ｆ）を連通状態又は非連通状態にする通水孔（２ａ）を形成したボール（２）と、逆止弁室（１ｄ）に設けられ、水道水の順方向の流れによって通水口（１ｆ）を開放し、水道水の逆方向の流れによって通水口（１ｆ）を閉鎖する逆止弁（４）と、逆止弁（４）の周囲に配置されて本体胴（１）に操作可能に且つ移動調整自在に設けられ、逆止弁室（１ｄ）側の隔壁（１ｅ）に当離座する環状の第２弁体パッキン（３０）を取り付けた筒状の第２弁体（６）とを備えており、前記第２弁体（６）は、これを移動調整して第２弁体パッキン（３０）を逆止弁室（１ｄ）側の隔壁（１ｅ）に当接させたときに、逆止弁（４）を囲繞して逆止弁（４）の二次側を止水する構成とし、更に、前記第２弁体（６）は、その下端部を逆止弁室（１ｄ）に臨ませた状態で本体胴（１）に移動調整自在に螺合されており、第２弁体（６）の本体胴（１）から突出する上部が、本体胴（１）に螺着した切欠部（７ａ）を有する筒状の第２弁体押え（７）と第２弁体押え（７）の内周面に螺着した逆止弁室（１ｄ）の蓋を兼ねる下方が開放されたパッキン箱（１０）とにより部分的に覆われて第２弁体押え（７）の切欠部（７ａ）から回転操作可能になっていることを特徴とする二次側止水機能付止水栓。
【請求項２】
第２弁体（６）は、その上端部外周面に第２弁体押え（７）の切欠部（７ａ）に臨むフランジ部（６ａ）を備えており、当該フランジ部（６ａ）の外周面にローレットを形成したことを特徴とする請求項１に記載の二次側止水機能付止水栓。
【請求項３】
パッキン箱（１０）に逆止弁（４）の開度を調整する開度調整機構（５）を設け、当該開度調整機構（５）は、パッキン箱（１０）に貫通状態で回転自在且つ軸線方向へ移動不能に支持され、下端部外周面に雄ネジ部を形成した栓棒（２５）と、栓棒（２５）の上端部に取り付けた丸ハンドル（２６）と、栓棒（２５）の雄ネジ部に螺合され、パッキン箱（１０）内に回転不能且つ上下動自在に収容されて逆止弁（４）を支持すると共に、水圧により押し上げられた逆止弁（４）が当接する弁体押え（２７）とから成り、前記栓棒（２５）が、逆止弁室（１ｄ）内の空気を抜く空気抜き孔（２５ａ）と、空気抜き孔（２５ａ）の開口を閉塞するハンドル止めビス（２９）とを備えていることを特徴とする請求項１に記載の二次側止水機能付止水栓。
【発明の詳細な説明】
【技術分野】
【０００１】
本発明は、水道本管からの水道水を戸建住宅や集合住宅等の各家庭に導くための給水管路に設置される逆流防止機能を備えた止水栓（逆止弁付止水栓）の改良に係り、特に、逆止弁の部品（弁体パッキンを取り付けた逆止弁体）を交換する際に、止水栓自体を給水管路に設置した状態で工具を使用せずに逆止弁の二次側を簡単且つ容易に止水することができ、二次側の給水管に残っている水道水が逆流して止水栓から外部へ溢れ出すのを防止できるようにした二次側止水機能付止水栓に関するものである。
【背景技術】
【０００２】
従来、逆流防止機能を備えた止水栓としては、例えば、特開２００１−０２０３２９号公報（特許文献１）に開示された逆止弁付止水栓が知られている。
【０００３】
即ち、前記逆止弁付止水栓は、図７に示す如く、流入口４０ａ、止水栓室４０ｂ、通水口４０ｃ、逆止弁室４０ｄ及び流出口４０ｅを形成した本体胴４０と、止水栓室４０ｂに回転操作自在に収容され、流入口４０ａ及び通水口４０ｃを連通状態又は非連通状態にする通水孔４１ａを形成したボール４１と、逆止弁室４０ｄに設けられ、水道水の順方向の流れ（流入口４０ａから流出口４０ｅへの流れ）によって通水口４０ｃを開放し、水道水の逆方向の流れ（流出口４０ｅから流入口４０ａへの流れ）によって通水口４０ｃを閉鎖する逆止弁４２等から構成されている。
【０００４】
また逆止弁４２は、図７に示す如く、逆止弁室４０ｄ側の通水口４０ｃの内周縁部に形成した弁座面４０ｆと、逆止弁室４０ｄに上下方向へ移動自在に収容された逆止弁体４３と、逆止弁体４３に取り付けられ、弁座面４０ｆに当離座する弁体パッキン４４と、逆止弁体４３の背面側に配設され、逆止弁体４３に背面押圧力を加えて弁体パッキン４４を弁座面４０ｆに当座させるスプリング４５等から成り、水道水が流入口４０ａから流出口４０ｅへ流れるときには、通水口４０ｃに達した水道水の水圧により逆止弁体４３がスプリング４５の弾性力に抗して押し上げられて通水口４０ｃを開放し、流入口４０ａ側から流出口４０ｅ側への水道水の流れを許容し、また、水道水が逆流しようとするときには、逆止弁体４３がスプリング４５の弾性力により押し下げられて通水口４０ｃを閉鎖し、流出口４０ｅから流入口４０ａへの水道水の逆流を防止するようになっている。
【０００５】
ところで、前記逆止弁付止水栓は、逆止弁体４３によるゴミ等の異物の噛み込み、弁体パッキン４４の摩耗や経年変化により逆止弁４２が正常に機能しなくなると、水質汚染事故を発生させる危険性がある。
【０００６】
例えば、直結給水方式の給水管路に於いては、水道本管と建物内の給水栓（蛇口）とが給水管等を介して直接繋がっており、水道本管の損傷事故、布設替え工事、更新工事等により断水した場合に、給水管内の水道水が高所側から低所側へ流れ落ちようとし、給水管内が大気圧よりも圧力が低い状態（負圧状態）となるため、給水栓（蛇口）に取り付けたホースを浴槽に浸けたままの状態で注水をしていると、負圧による逆流で不衛生な水道水が水道本管内に取り込まれてしまうことがある。
【０００７】
従って、給水管路に設置している逆止弁付止水栓に於いては、逆流防止性能の維持管理を行う必要があり、逆止弁４２の部品（弁体パッキン４４を取り付けた逆止弁体４３）を定期的に交換することを推奨している。
【０００８】
給水管路に設置している逆止弁付止水栓の逆止弁４２の逆止弁体４３を交換する場合、図８に示す如く、ボール４１を閉鎖位置に回転操作して逆止弁４２の一次側を止水して水道本管からの水道水の流れを止めた後、パッキン箱４６を本体胴４０から取り外して逆止弁室４０ｄを開放し、逆止弁室４０ｄ内の逆止弁体４３を新しいものと交換するようにしている。
【０００９】
しかし、前記逆止弁付止水栓は、逆止弁４２の二次側を止水することができないため、パッキン箱４６を本体胴４０から外して逆止弁体４３を取り出したときに、逆止弁付止水栓の二次側の給水管に残っている水道水が逆流して本体胴４０から溢れて外に落ちこぼれることになる。
【００１０】
このとき、逆止弁付止水栓が屋外のメータボックス内に設置されている場合、溢れ出た戻り水が地中に浸透するが、水量が多ければ、溢れ出た戻り水が汚染水となって逆止弁付止水栓に浸入する可能性がある。
また、逆止弁付止水栓が集合住宅等の屋内に設置されている場合、逆止弁体の交換時に大量の戻り水が逆止弁付止水栓から溢れ出し、建物に浸入して居住者に被害を与える恐れがある。
【００１１】
このように、従来の逆止弁付止水栓は、逆止弁体４３の交換時に逆止弁体４３を本体胴４０から取り出したときに、二次側の給水管に残っている水が逆流して溢れ出てくるので、その水の除去作業に時間がかかると云う問題がある。
また、逆止弁付止水栓が屋外のメータボックス内に設置されている場合、逆止弁体４３の交換時に溢れ出す二次側の戻り水の水量が多ければ、汚染水となって逆止弁付止水栓に浸入する恐れがある。
更に、逆止弁付止水栓が集合住宅等の屋内に設置されている場合、逆止弁体４３の交換時に大量の戻り水が逆止弁付止水栓から溢れ出し、建物内に浸入して居住者に被害を与える恐れがある。
【先行技術文献】
【特許文献】
【００１２】
【特許文献１】特開２００１−０２０３２９号公報
【発明の概要】
【発明が解決しようとする課題】
【００１３】
本発明は、このような問題点に鑑みて為されたものであり、その目的は、逆止弁の部品を交換する際に、止水栓自体を給水管路に設置した状態で工具を使用せずに逆止弁の二次側を止水することができ、二次側の給水管に残っている水道水が逆流して止水栓から外部へ溢れ出すのを防止できるようにした二次側止水機能付止水栓を提供することにある。
【課題を解決するための手段】
【００１４】
上記目的を達成するために、本発明の請求項１の発明は、流入口に連通する止水栓室、流出口に連通する逆止弁室、止水栓室と逆止弁室とを仕切る隔壁、隔壁に形成されて止水栓室と逆止弁室を連通させる通水口をそれぞれ有する本体胴と、止水栓室に回転操作自在に収容され、流入口及び通水口を連通状態又は非連通状態にする通水孔を形成したボールと、逆止弁室に設けられ、水道水の順方向の流れによって通水口を開放し、水道水の逆方向の流れによって通水口を閉鎖する逆止弁と、逆止弁の周囲に配置されて本体胴に操作可能に且つ移動調整自在に設けられ、逆止弁室側の隔壁に当離座する環状の第２弁体パッキンを取り付けた筒状の第２弁体とを備えており、前記第２弁体は、これを移動調整して第２弁体パッキンを逆止弁室側の隔壁に当接させたときに、逆止弁を囲繞して逆止弁の二次側を止水する構成とし、更に、前記第２弁体は、その下端部を逆止弁室に臨ませた状態で本体胴に移動調整自在に螺合されており、第２弁体の本体胴から突出する上部が、本体胴に螺着した切欠部を有する筒状の第２弁体押えと第２弁体押えの内周面に螺着した逆止弁室の蓋を兼ねる下方が開放されたパッキン箱とにより部分的に覆われて第２弁体押えの切欠部から回転操作可能になっていることに特徴がある。
【００１６】
本発明の請求項２の発明は、第２弁体が、その上端部外周面に第２弁体押えの切欠部に臨むフランジ部を備えており、当該フランジ部の外周面にローレットを形成したことに特徴がある。
【００１７】
本発明の請求項３の発明は、パッキン箱に逆止弁の開度を調整する開度調整機構を設け、当該開度調整機構が、パッキン箱に貫通状態で回転自在且つ軸線方向へ移動不能に支持され、下端部外周面に雄ネジ部を形成した栓棒と、栓棒の上端部に取り付けた丸ハンドルと、栓棒の雄ネジ部に螺合され、パッキン箱内に回転不能且つ上下動自在に収容されて逆止弁を支持すると共に、水圧により押し上げられた逆止弁が当接する弁体押えとから成り、前記栓棒が、逆止弁室内の空気を抜く空気抜き孔と、空気抜き孔の開口を閉塞するハンドル止めビスとを備えていることに特徴がある。
【発明の効果】
【００１８】
本発明の二次側止水機能付止水栓は、本体胴に外部から移動調整できて逆止弁の二次側を止水する第２弁体を設ける構成としているため、逆止弁の部品（逆止弁体）を交換する際に、第２弁体を操作することによって、止水栓自体を給水管路に設置した状態で逆止弁の二次側を止水することができるので、止水栓の二次側の給水管に残っている戻り水が止水栓から溢れ出すと云うことがなく、戻り水の除去作業等が不要となって作業時間を大幅に短縮することができる。
また、本発明の二次側止水機能付止水栓は、逆止弁の部品を交換する際に、逆止弁の二次側を止水できるため、二次側の戻り水による汚染水の発生や建物内への浸入の心配がなくなる。
従って、本発明の二次側止水機能付止水栓を用いれば、逆止弁の二次側の止水を簡単且つ容易に行えると共に、逆止弁の部品の交換を問題なく行え、交換作業の時間を短縮できるうえ、建物内への浸水事故等の問題も解消することができる。
【００１９】
本発明の二次側止水機能付止水栓は、第２弁体が、その下端部を逆止弁室に臨ませた状態で本体胴に移動調整自在に螺合されており、第２弁体の本体胴から突出する上部が、第２弁体押えとパッキン箱とにより部分的に覆われて第２弁体押えに形成した切欠部から回転操作可能になっているため、工具を使用せずに逆止弁の二次側を止水することができる。
【００２０】
本発明の二次側止水機能付止水栓は、第２弁体が、その上端部外周面に第２弁体押えの切欠部に臨むフランジ部を備えており、当該フランジ部の外周面にローレットを形成しているため、第２弁体の回転操作を極めて行い易くなり、逆止弁の二次側の止水を迅速に行うことができる。
【００２１】
本発明の二次側止水機能付止水栓は、パッキン箱に逆止弁の開度を調整する開度調整機構を設け、この開度調整機構の栓棒が、逆止弁室内の空気を抜く空気抜き孔と、空気抜き孔の開口を閉塞するハンドル止めビスとを備えているため、ハンドル止めビスを外して空気抜き孔から水が出て来ないかを確認することによって、二次側の戻り水が第２弁体で確実に止水されているかどうかを確認することができるので、二次側の戻り水が溢れ出すのを確実に防止することができる。
【図面の簡単な説明】
【００２２】
【図１】本発明の実施の形態に係る二次側止水機能付止水栓の正面図である。
【図２】二次側止水機能付止水栓の側面図である。
【図３】二次側止水機能付止水栓の拡大縦断正面図である。
【図４】二次側止水機能付止水栓の拡大縦断側面図である。
【図５】二次側止水機能付止水栓の一次側及び二次側を止水した状態の拡大縦断正面図である。
【図６】二次側止水機能付止水栓の逆止弁交換時の縦断正面図である。
【図７】従来の逆止弁付止水栓の拡大縦断正面図である。
【図８】従来の逆止弁付止水栓の逆止弁交換時の縦断正面図である。
【発明を実施するための形態】
【００２３】
以下、本発明の実施の形態を図面に基づいて詳細に説明する。
図１〜図６は本発明の実施の形態に係る二次側止水機能付止水栓を示し、当該二次側止水機能付止水栓は、水道本管からの水道水を戸建住宅や集合住宅等の各家庭に導くための直結給水方式の給水管路（給水管の途中や水道メータの一次側等）に設置されており、水道メータの取り替えや一次止水栓等の給水器具の修理等、水道水を止めなければならないときに使用するものであり、止水機能の他に、逆流防止機能、二次側止水機能、流量調整機能及び空気抜き機能を有する。
【００２４】
即ち、前記二次側止水機能付止水栓は、図３及び図４に示す如く、流入口１ａ、止水栓室１ｂ、流出口１ｃ、逆止弁室１ｄ、隔壁１ｅ及び通水口１ｆを形成した本体胴１と、止水栓室１ｂに回転操作自在に収容され、通水孔２ａを形成したボール２と、本体胴１に設けられ、ボール２に連結されてボール２を回転操作するボール開閉操作機構３と、逆止弁室１ｄに設けられ、水道水の逆流を阻止する逆止弁４と、本体胴１に設けられ、逆止弁４の開度（開口量）を調整する開度調整機構５と、本体胴１に操作可能に且つ移動調整自在に設けられ、逆止弁４の二次側を止水する第２弁体６と、本体胴１に設けられ、第２弁体６を操作できる切欠部７ａを有する第２弁体押え７とから構成されている。
【００２５】
具体的には、前記本体胴１は、図３に示す如く、給水管路の上流側に位置する流入口１ａと、流入口１ａに連通して下方が開放された止水栓室１ｂと、給水管路の下流側に位置する流出口１ｃと、流出口１ｃに連通して上方が開放された逆止弁室１ｄと、止水栓室１ｂと逆止弁室１ｄとを仕切る隔壁１ｅと、隔壁１ｅに形成されて止水栓室１ｂと逆止弁室１ｄを連通させる通水口１ｆとを有しており、流入口１ａに流入した水道水が止水栓室１ｂ、通水口１ｆ及び逆止弁室１ｄを経て流出口１ｃに流れるようになっている。
また、止水栓室１ｂの開口は、本体胴１の止水栓室１ｂの開口内周面にＯリング８を介して着脱自在に螺着した蓋状のボール押え９により閉塞されている。
更に、逆止弁室１ｄの開口は、本体胴１の逆止弁室１ｄの開口部分外周面に着脱自在に螺着した段付きの筒状の第２弁体押え７と、第２弁体押え７の小径部分の内周面に着脱自在に螺着されて逆止弁室１ｄの蓋を兼ねる下方が開放されたパッキン箱１０とにより閉塞されている。
【００２６】
尚、本体胴１の流出口１ｃには、伸縮継手１１が取り付けられている。この伸縮継手１１は、伸縮管１２、伸縮管用パッキン１３、ガイドリーフ１４、固定用の袋ナット１５及び管連結用の袋ナット１６から成る。
【００２７】
前記ボール２は、図３に示す如く、流入口１ａ及び通水口１ｆを連通状態又は非連通状態にする通水孔２ａを有しており、本体胴１の止水栓室１ｂ内に一対の環状のボールシート１７を介して回転自在に収容されている。
このボール２は、後述するボール開閉操作機構３により９０°回転操作されて開閉状態が切り替るようになっており、ボール２が開放位置（図３に示す位置）にあるときには、ボール２の通水孔２ａが流入口１ａ及び通水口１ｆ室に連通し、流入口１ａから入った水道水が通水孔２ａ及び通水口１ｆを通って逆止弁室１ｄに流入し、また、ボール２が閉鎖位置（図５に示す位置）にあるときには、通水口１ｆの上流側開口を閉鎖し、通水を遮断するようになっている。
【００２８】
前記ボール開閉操作機構３は、図４に示す如く、本体胴１にＯリング８を介して回転自在に挿通支持され、先端部がボール２に連結された横向き姿勢の副栓棒１８と、本体胴１に螺着され、副栓棒１８を抜け止めする副栓棒押え１９と、副栓棒１８の基端部に着脱自在に嵌合され、副栓棒１８及びボール２を回転操作するレバーハンドル２０と、副栓棒押え１９に着脱自在に螺着され、レバーハンドル２０を抜け止めするハンドルキャップ２１０とから成り、レバーハンドル２０を９０°回動操作することによって、ボール２を開放位置又は閉鎖位置へ切り替え操作できるようになっている。
また、レバーハンドル２０は、副栓棒１８に設けたピン１８ａと、本体胴１に形成されてピン１８ａが嵌合される切欠（図示省略）とにより回動角度が９０°になるように規制されている。
尚、レバーハンドル２０は、取り外しておくことにより盗水を防止できる。このとき、副栓棒押え１９にダストキャップ（図示省略）を被せ、ダストが副栓棒１８側へ入らないようにしておく。
【００２９】
前記逆止弁４は、図３及び図４に示す如く、通水口１ｆの内周縁部で逆止弁室１ｄ側の隔壁１ｅ上面に形成した弁座面１ｇと、逆止弁室１ｄに上下方向へ移動自在に収容され、パッキン箱１０の内周面に案内される合成樹脂製の有底筒状の逆止弁体２２と、逆止弁体２２の下面に取り付けられ、弁座面１ｇに当離座する合成ゴム製の弁体パッキン２３と、逆止弁体２２の背面側（上面側）に配設され、逆止弁体２２に背面押圧力を加えて弁体パッキン２３を弁座面１ｇに当座させるスプリング２４とから成り、水道水が流入口１ａから流出口１ｃへ流れるときには、通水口１ｆに達した水道水の水圧により逆止弁体２２がスプリング２４の弾性力に抗して押し上げられて通水孔２ａを開放し、流入口１ａから流出口１ｃへの水道水の流れを許容し、また、水道水が逆流しようとするときには、逆止弁体２２がスプリング２４の弾性力により押し下げられて通水口１ｆを閉鎖し、流出口１ｃから流入口１ａへの水道水の逆流を防止するようになっている。
この逆止弁４は、後述する開度調整機構５によりその開度（開口量）を調整できて流量調整を行えるようになっている。
【００３０】
前記開度調整機構５は、図３及び図４に示す如く、パッキン箱１０に貫通状態で回転自在且つ軸線方向へ移動不能に支持され、下端部外周面に雄ネジ部を形成した栓棒２５と、栓棒２５の上端部に取り付けた丸ハンドル２６と、栓棒２５の雄ネジ部に螺合され、パッキン箱１０内に回転不能且つ上下動自在に収容されて逆止弁４のスプリング２４を支持すると共に、水圧により押し上げられた逆止弁体２２が当接する弁体押え２７とから成り、丸ハンドル２６により栓棒２５を正逆回転させると、回転が阻止されている弁体押え２７が上下方向へ移動するようになっている。
従って、この開度調整機構５は、弁体押え２７の上下位置を調整することによって、開放位置にある逆止弁体２２の位置が変わり、逆止弁４の開度（開口量）を調整できて流量調整を行えることになる。
【００３１】
尚、弁体押え２７のフランジ部の外周面には、パッキン箱１０の内周面に形成した複数の縦溝１０ａに嵌合されて弁体押え２７の回転を阻止する複数の突起２７ａが形成されている。
また、弁体押え２７のフランジ部の下面には、逆止弁体２２衝突時の衝撃を吸収する合成樹脂製の緩衝材２８が取り付けられている。
更に、栓棒２５は、その中心部に貫通状の空気抜き孔２５ａが形成されており、逆止弁室１ｄ内の空気を外部へ排出できるようになっいる。この空気抜き孔２５ａは、丸ハンドル２６のハンドル止めビス２９により閉鎖されている。
従って、ハンドル止めビス２９を取り外すことによって、逆止弁室１ｄ内の空気を外部へ排出することができる。この空気抜き孔２５ａは、逆止弁４の二次側の止水状態を確認するのに利用されたり、配管工事の施工後等に給水管内等に残っている空気を外部へ排出するのに利用されたり、或はここに圧力計を取り付けて管路内の水圧を計るのにも利用される。
【００３２】
前記第２弁体６は、逆止弁４の周囲に配置されて本体胴１に操作可能に且つ移動調整自在に設けられており、逆止弁４の逆止弁体２２を交換する際に、逆止弁４を囲繞して逆止弁４の二次側を止水できるようにしたものである。
【００３３】
具体的には、前記第２弁体６は、筒状に形成されており、その下端部には、逆止弁室１ｄ側から隔壁１ｅに当離座する合成ゴム製の環状の第２弁体パッキン３０が焼き付けにより固着されている。この第２弁体パッキン３０は、第２弁体６に着脱自在に取り付けるようにしても良い。
また、第２弁体６の上端部外周面には、第２弁体押え７の切欠部７ａに臨むフランジ部６ａが形成されており、当該フランジ部６ａの外周面には、滑り止め用のローレットが形成されている。
更に、第２弁体６の中間部外周面には、本体胴１の逆止弁室１ｄの開口内周面に形成した雌ネジ部に螺合する雄ネジ部が形成されている。
【００３４】
そして、この第２弁体６は、その雄ネジ部を逆止弁室１ｄの開口内周面に形成した雌ネジ部に螺合することによって、本体胴１の逆止弁室１ｄの開口内周面に上下方向へ移動調整自在に螺着されており、第２弁体６を下方向へ移動調整して第２弁体パッキン３０を隔壁１ｅに当接させることによって、逆止弁４を囲繞して逆止弁４の二次側を止水できるようになっている。
尚、第２弁体６は、逆止弁４及びパッキン箱１０の筒状部分の周囲に配置された格好になっており、第２弁体６とパッキン箱１０の筒状部分との間並びに第２弁体６と本体胴１との間がそれぞれＯリング８によりシールされた状態となっている。
【００３５】
前記第２弁体押え７は、上端部が小径の段付きの筒状に形成されており、本体胴１の逆止弁室１ｄの開口部分外周面に螺着されている。この第２弁体押え７は、第２弁体６を抜け止めするためのものである。
また、第２弁体押え７の大径部分には、第２弁体６のフランジ部６ａが臨む二つの切欠部７ａが対向状に形成されており、この二つの切欠部７ａから第２弁体６を回転操作できるようになっている。
【００３６】
次に、上述した二次側止水機能付止水栓の作用について説明する。
【００３７】
ボール２が開放位置にあるときには、流入口１ａから入った水道水がボール２の通水孔２ａを通って通水口１ｆに達し、逆止弁体２２をスプリング２４の弾性力に抗して押し上げる。その結果、一次側の水道水は、通水口１ｆから逆止弁室１ｄ内に流れ込み、流出口１ｃから二次側へ排出される。
【００３８】
また、水道水の流入が停止したり、水道水が逆流しようとした場合には、逆止弁体２２がスプリング２４の弾性力により押されて逆止弁体２２の弁体パッキン２３が弁座面１ｇに当座し、通水口１ｆを閉鎖して水道水の逆流を防止する。
【００３９】
更に、丸バンドル２５を回して弁体押え２７を上下動させ、弁体押え２７の上下位置を調整して逆止弁４の開度（開口量）を調整することによって、通水量を自由に調整することができる。
【００４０】
しかも、ハンドル止めビス２９を取り外せば、逆止弁室１ｄと外部とが空気抜き孔２５ａを介して連通状態になるので、逆止弁室１ｄ内や管路内の空気抜きを簡単に行える。
【００４１】
そして、第２弁体６を用いて逆止弁４の逆止弁体２２を交換する場合には、先ず、レバーハンドル２０を９０°回動操作してボール２を閉鎖位置にし、一次側を止水する（図５参照）。
【００４２】
次に、第２弁体押え７の切欠部７ａに位置する第２弁体６のフランジ部６ａを手で回して第２弁体６を下方向へ移動させ、第２弁体６の下端部に取り付けた第２弁体パッキン３０を本体胴１の隔壁１ｅ上面に密着させる。これにより、逆止弁４の二次側が止水される（図５参照）。
このとき、第２弁体６は、そのフランジ部６ａが第２弁体押え７に形成した対向状の切欠部７ａから外部へ露出し、且つフランジ部６ａの外周面にローレットを形成しているため、工具を使用せずに逆止弁４の二次側を止水することができるうえ、第２弁体６の回転操作を極めて行い易くなり、逆止弁４の二次側の止水を迅速に行うことができる。
【００４３】
第２弁体６により逆止弁４の二次側を止水したら、ハンドル止めビス２９を外して栓棒２５に形成した空気抜き孔２５ａを開放する。この状態で栓棒２５の空気抜き孔２５ａから二次側の戻り水が出て来ないかを確認することで、逆止弁４の二次側の止水を確認することができる。
【００４４】
逆止弁４の二次側の止水を確認したら、図６に示す如く、パッキン箱１０を第２弁体押え７から取り外して逆止弁室１ｄを開放し、逆止弁室１ｄ内の逆止弁体２２を新しいものと交換する。
このとき、第２弁体６により逆止弁４の二次側を止水しているため、止水栓の二次側の給水管に残っている戻り水が止水栓から溢れ出すと云うことがなく、戻り水の除去作業等が不要となって作業時間を大幅に短縮することができると共に、二次側の戻り水による汚染水の発生や建物内への浸入の心配がなくなる。
【００４５】
このように、前記二次側止水機能付止水栓を用いれば、逆止弁の二次側の止水を簡単且つ容易に行えると共に、逆止弁の部品の交換を問題なく行え、交換作業の時間を短縮できるうえ、建物内への浸水事故等の問題も解消することができる。
【符号の説明】
【００４６】
１は本体胴、１ａは流入口、１ｂは止水栓室、１ｃは流出口、１ｄは逆止弁室、１ｅは隔壁、１ｆは通水口、２はボール、２ａは通水孔、４は逆止弁、５は開度調整機構、６は第２弁体、６ａは第２弁体のフランジ部、７は第２弁体押え、７ａは第２弁体押えの切欠部、１０はパッキン箱、２５は栓棒、２５ａは空気抜き孔、２６は丸ハンドル、２７は弁体押え、２９は丸ハンドル止めビス、３０は第２弁体パッキン。
【図１】
0005674591.tif 000002
【図２】
0005674591.tif 000003
【図３】
0005674591.tif 000004
【図４】
0005674591.tif 000005
【図５】
0005674591.tif 000006
【図６】
0005674591.tif 000007
【図７】
0005674591.tif 000008
【図８】
0005674591.tif 000009